(57)【要約】【課題】  一体的に構成された商品販売データ処理装置にあって、異なる機種間での部品の共通化と組み立て作業の容易化とを高い水準で実現させる。【解決手段】  扁平形状のフレーム構造体であるコントロールボックスフレーム２０３に商品販売データ処理のために機能するハードウェア構成物２０４を収納し、これを扁平形状のフレーム構造体である本体フレーム１５２に引き出し自在に収納し、本体フレーム１５２の上部にキーボードユニット１５４とディスプレイユニット１５５とプリンタユニット１５６とを固定し、本体フレーム１５２の正面と背面と両側面とをそれぞれ複数個の化粧カバー（フロントカバー１５７、左右一対のサイドカバー１５８、バックカバー１１１）で覆うようにした。【選択図】    図５
2006155515.tif 000002
【特許請求の範囲】
【請求項１】
扁平形状のフレーム構造体であるコントロールボックスフレームと、
前記コントロールボックスフレームに収納されて商品販売データ処理のために機能するハードウェア構成物と、
扁平形状のフレーム構造体であって、前記ハードウェア構成物を収納した前記コントロールボックスフレームを引き出し自在に収納する本体フレームと、
前記本体フレームの上部に固定されるキーボードユニットと、
前記本体フレームの上部に固定されるディスプレイユニットと、
前記本体フレームの上部に固定されるプリンタユニットと、
前記本体フレームの正面と背面と両側面とをそれぞれ覆う複数個の化粧カバーと、
を備える商品販売データ処理装置。
【請求項２】
前記コントロールボックスフレームは、先端側の高さを他の部分の高さよりも低くする段部を有し、
前記本体フレームは、先端側の高さを他の部分の高さよりも低くする第２の段部を有し、
前記本体フレームは、前記コントロールボックスフレームの段部を前記第２の段部に位置付けた状態で前記コントロールボックスフレームの収納を許容する、請求項１記載の商品販売データ処理装置。
【請求項３】
前記キーボードユニットは、前記本体フレームの前記第２の段部に固定され、
前記ディスプレイユニット及び前記プリンタユニットは、前記本体フレームの前記第２の段部以外の上部に固定される。
請求項２記載の商品販売データ処理装置。
【請求項４】
前記本体フレームは、前記コントロールボックスフレームを後部より引き出し自在に収納する、請求項１、２又は３記載の商品販売データ処理装置。
【発明の詳細な説明】
【技術分野】
【０００１】
本発明は、ＥＣＲやＰＯＳ端末等の商品販売データ処理装置に関する。
【背景技術】
【０００２】
ＥＣＲやＰＯＳ端末等の商品販売データ処理装置は、各部を収納保持するハウジング、商品販売データ処理のために機能するハードウェア構成物、キーボード、ディスプレイ、プリンタ等の機械要素等が集合して構成されている。一般的には、それらの各構成要素は、ハウジングに収納されるかハウジングに固定されるかして、一体的に構成されている。
【０００３】
これに対して、特許文献１には、各部をユニット化して構成した電子式金銭登録機が開示されている。特に、特許文献１では、制御部ユニットを独立して使用できるようにすることを課題とし（段落０００７）、金銭収納装置（ドロワ）の上部に制御部ユニットを載置し、この制御ユニットの前方上部に表示部を一体的に設けた表示制御ユニットを載置し、この表示制御ユニットに印字ユニットを載置し、表示制御ユニットの前方に位置させて金銭収納装置の上部にキー入力ユニットを載置することが開示されている（段落０００８）。
【０００４】
【特許文献１】特開平１０−１３４２４８号公報
【発明の開示】
【発明が解決しようとする課題】
【０００５】
一体的に構成されたＥＣＲやＰＯＳ端末等の商品販売データ処理装置では、一般的に、ある機種と別の機種との間の部品の共通化が左程考慮されておらず、機種毎に専用設計がなされることが多い。また、異なる機種間で部品の共通化が行なわれるとしても、例えばハードディスクドライブ（ＨＤＤ）を共通化するというような水準での共通化に始終する。このため、そのような部品の共通化は、部品コストの低減には役立つかもしれないが、組み立て作業の容易化に対する寄与度は極めて低い。
【０００６】
その中でも、特許文献１に記載された電子式金銭登録機では、例えば金銭収納装置や制御部ユニットの上部に他のユニットを載置するという構造上、複数のユニット間の組み合わせの可能性をもたらし、その組み合わせ自体も容易である。しかしながら、特許文献１に記載された電子式金銭登録機は、例えば金銭収納装置や制御部ユニットの上部に他のユニットを載置して使用するに過ぎない。この意味で、一体的に構成された商品販売データ処理装置とは別の種類の機器であると言えよう。
【０００７】
本発明の目的は、一体的に構成された商品販売データ処理装置にあって、異なる機種間での部品の共通化と組み立て作業の容易化とを高い水準で実現させることである。
【課題を解決するための手段】
【０００８】
本発明は、扁平形状のフレーム構造体であるコントロールボックスフレームに商品販売データ処理のために機能するハードウェア構成物を収納し、前記ハードウェア構成物を収納した前記コントロールボックスフレームを扁平形状のフレーム構造体である本体フレームに引き出し自在に収納し、前記本体フレームの上部にキーボードユニットとディスプレイユニットとプリンタユニットとを固定し、前記本体フレームの正面と背面と両側面とをそれぞれ複数個の化粧カバーで覆うようにした。
【発明の効果】
【０００９】
本発明によれば、商品販売データ処理装置を一体的に構成することができながら、ハードウェア構成物を収納したコントロールボックスフレームを本体フレームに引き出し自在に収納するという構造上、また、本体フレームの上部にキーボードユニットとディスプレイユニットとプリンタユニットとを固定するという構造上、さらに、本体フレームの正面と背面と両側面とをそれぞれ複数個の化粧カバーで覆うという構造上、ハードウェア構成物を収納したコントロールボックスフレーム、キーボードユニット、ディスプレイユニット、プリンタユニットを、それぞれ異なる機種間で適宜組み合わせて使用することが容易であり、しかも、その場合の組み立て作業も容易であり、したがって、異なる機種間での部品の共通化と組み立て作業の容易化とを高い水準で実現させることができる。
【発明を実施するための最良の形態】
【００１０】
本発明の実施の一形態を図１ないし図１３に基づいて説明する。本実施の形態は、商品販売データ処理装置として、ＰＯＳ端末１０１への適用例を示す。
【００１１】
図１は、ＰＯＳ端末１０１をその正面側から示す斜視図である。図２は、ＰＯＳ端末１０１をその背面側から示す斜視図である。ＰＯＳ端末１０１は、手前右側にキーボード１０２、手前左側に紙幣置き１０３、奥右側にオペレータ用と客面用とのそれぞれのディスプレイ１０４ａ，１０４ｂ、奥左側にプリンタ１０５が配置されて構成されている。
【００１２】
図３は、ＰＯＳ端末１０１のコントローラの斜視図である。コントローラ２０１は、コントロールボックスフレーム２０３にハードウェア構成物２０４を収納した構造のものである。コントロールボックスフレーム２０３は、その中央よりもやや先端側に段部２０５を有する。この段部２０５は、コントロールボックスフレーム２０３の切欠形状によって形成され、コントロールボックスフレーム２０３の先端側の高さを他の部分の高さよりも低くするように形成されている。
【００１３】
図４は、コントロールボックスフレーム２０３の斜視図である。コントロールボックスフレーム２０３は、扁平形状のフレーム構造体である。このようなコントロールボックスフレーム２０３は、図４に示すように、その内部が仕切り板ＳＰによって仕切られ、正面から見て右側の空間と左側の空間とが３：１〜４：１程度の割合で区切られている。便宜上、仕切り板ＳＰによって仕切られた右側の空間を右空間２０６、左側の空間を左空間２０７と呼ぶ。仕切り板ＳＰにも、段部２０５を形成するための切欠形状が形成されている。
【００１４】
コントロールボックスフレーム２０３の右空間２０６の側の右側壁には、前方側に第１の排気用開口部２０８が形成され、第１の排気用開口部２０８以外の位置にはマザーボードを出し入れするためのマザーボード装着用開口部２０９が形成されている。マザーボード装着用開口部２０９の一部は、第２の排気用開口部２０９ａを兼ねている。コントロールボックスフレーム２０３の右空間２０６の側の背面壁には、各種のコネクタ２１０（図９及び図３参照）を外部に露出させるための複数個のコネクタ用開口部２１１が形成されている。
【００１５】
コントロールボックスフレーム２０３の左空間２０７の側の左側壁には、冷却用開口部２１２が形成されている。コントロールボックスフレーム２０３の左空間２０７の側の背面壁には、第３の排気用開口部２０２が形成されている。そして、コントロールボックスフレーム２０３の前面壁には、各種の開口部２１３が形成されている。
【００１６】
図３に戻り、ハードウェア構成物２０４について説明する。コントロールボックスフレーム２０３の右空間２０６には、手前側に寄せてＨＤＤ２１４が配置され、その奥側には底面近くにマザーボード２１５が配置されている。マザーボード２１５は、図示しないＣＰＵやメモリ等を搭載している。ＣＰＵは熱源となる。このため、ＣＰＵの上には第１のファン２１６が取り付けられている。この第１のファン２１６は、その排気口２１６ａをコントロールボックスフレーム２０３のマザーボード装着用開口部２０９の一部に兼ねられた第２の排気用開口部２０９ａに対面させて配置されている。マザーボード２１５は、マザーボード装着用開口部２０９を介してコントロールボックスフレーム２０３に引き出し自在に装着される。また、コントロールボックスフレーム２０３の右空間２０６には、第１の排気用開口部２０８の裏側に位置させて第２のファン２１７も取り付けられている。
【００１７】
コントロールボックスフレーム２０３の右空間２０６には、背面壁に取り付けられたコネクタ基板２１８が配置されている。このコネクタ基板２１８は、前述した複数個のコネクタ２１０（図９及び図３参照）を搭載する。
【００１８】
コントロールボックスフレーム２０３の右空間２０６には、仕切り板ＳＰの側壁に取り付けられた接続用ボード２１９が配置されている。この接続用ボード２１９は、コネクタ２１０やＨＤＤ２１４等と図示しないリード線を介して接続され、これらのコネクタ２１０やＨＤＤ２１４等とマザーボード２１５に搭載されたＣＰＵとを接続する役割を担う。この役割を果たすために、マザーボード２１５と接続用ボード２１９とには、コントロールボックスフレーム２０３に対するマザーボード２１５の装着動作に伴い接続される図示しないコネクタがそれぞれ設けられている。また、接続用ボード２１９には、拡張ボード２２０を装着するための拡張ボード用コネクタ２２１が複数個設けられており、これらの拡張ボード用コネクタ２２１には複数枚の拡張ボード２２０が差し込まれている。拡張ボード用コネクタ２２１に差し込まれた拡張ボード２２０は、接続用ボード２１９を介してマザーボード２１５に搭載されたＣＰＵに接続される。
【００１９】
コントロールボックスフレーム２０３の左空間２０７には、奥側に位置させて電源ユニット２２２が収納され、手前側に位置させて電源保護装置（ＵＰＳ）２２３が収納されている。熱源となる電源ユニット２２２の配置によって、左空間２０７からは熱を逃がす必要が生ずる。そこで、コントロールボックスフレーム２０３の背面壁には、その背面壁に形成された第３の排気用開口部２０２に位置させて図示しない第３のファンが取り付けられ、この第３のファンの作動によって左空間２０７から熱が逃がされる。また、電源ユニット２２２から発生した熱は、コントロールボックスフレーム２０３の冷却用開口部２１２からも逃がされる。
【００２０】
ここで、図３には図示しないが、電源ユニット２２２の一部は分割され、コントロールボックスフレーム２０３の右空間２０６の手前側において、ＨＤＤ２１４と接続用ボード２１９との間の部分に配置されている。
【００２１】
以上説明した各種のハードウェア構成物２０４は、コントロールボックスフレーム２０３の段部２０５によって形成される当該段部２０５の上方空間に侵入しないように配置されている。つまり、段部２０５によって、コントロールボックスフレーム２０３には高さが低い先端側の部分と高さが高い部分とが形成されている。図３に示すように、第１のファン２１６、接続用ボード２１９の一部、拡張ボード２２０、電源ユニット２２２は、コントロールボックスフレーム２０３の高さが高い部分に配置され、高さが低い先端部分よりも高い位置に位置付けられている。これに対して、ＨＤＤ２１４及び電源保護装置（ＵＰＳ）２２３は、コントロールボックスフレーム２０３の高さが低い部分に配置され、コントロールボックスフレーム２０３の高さよりも低い位置に位置付けられている。
【００２２】
図５は、本体フレームに対して、ハードウェア構成物２０４を収納するコントロールボックスフレーム２０３とキーボードユニットとディスプレイユニットとプリンタユニットと各種カバー（フロントカバー、サイドカバー、バックカバー）とを装着する状態を示す分解斜視図である。ＰＯＳ端末１０１は、本体フレーム１５２に各部が支持されて構成されている。つまり、本体フレーム１５２は、扁平形状のフレーム構造体であり、先端側の高さを他の部分の高さよりも低くする第２の段部１５３を有する。このような本体フレーム１５２には、ハードウェア構成物２０４を収納した状態のコントロールボックスフレーム２０３が収納されている。そして、キーボード１０２及び紙幣置き１０３はキーボードユニット１５４として一体化され、第２の段部１５３の上面部分に固定される。奥右側に位置するオペレータ用と客面用とのそれぞれのディスプレイ１０４ａ，１０４ｂは、ディスプレイユニット１５５として一体化され、本体フレーム１５２の第２の段部１５３ではない部分の上面に固定される。そして、プリンタ１０５はプリンタユニット１５６として構成され、本体フレーム１５２の第２の段部１５３ではない部分の上面であって、ディスプレイユニット１５５の隣接位置に固定される。さらに、本体フレーム１５２の正面と両側面と背面とは、これらの正面と背面と両側面とにそれぞれ着脱自在に取り付けられるフロントカバー１５７と左右一対のサイドカバー１５８とバックカバー１１１とによって覆われている。これらのフロントカバー１５７と左右一対のサイドカバー１５８とバックカバー１１１とは、化粧カバーとして用いられる。
【００２３】
図６は、ディスプレイユニット１５５とプリンタユニット１５６とが装着された本体フレーム１５２に対して、キーボードユニット１５４とコントロールボックスフレーム２０３とフロントカバー１５７とを装着する状態を示す右側面図である。コントロールボックスフレーム２０３は、本体フレーム１５２の第２の段部１５３に段部２０５を位置付けるようにして本体フレーム１５２の後部より装着される。コントロールボックスフレーム２０３は、本体フレーム１５２に対して引き出し自在である。
【００２４】
図７は、コントロールボックスフレーム２０３が装着されてディスプレイユニット１５５とプリンタユニット１５６とバックカバー１１１とが装着された本体フレーム１５２に対して、キーボードユニット１５４とフロントカバー１５７とを装着する状態を示す右側面図である。図７に示すように、本体フレーム１５２にコントロールボックスフレーム２０３を装着させたなら、キーボードユニット１５４及びフロントカバー１５７を本体フレーム１５２に取り付け、さらに、図７には図示しないが左右一対のサイドカバー１５８を本体フレーム１５２に取り付け、これによってＰＯＳ端末１０１が完成する。
【００２５】
図８は、完成したＰＯＳ端末１０１を示す右側面図である。
【００２６】
なお、図６及び図７中、本体フレーム１５２に対して、ハードウェア構成物２０４が全く装着されていない状態のコントロールボックスフレーム２０３が装着される状態が示されている。この状態は、説明の便宜のために示しており、実際の製造時には、図５に示すように、本体フレーム１５２に対してハードウェア構成物２０４の全部又は一部が装着された状態のコントロールボックスフレーム２０３が装着されることになる。
【００２７】
図９は、バックカバー１１１を外した状態の背面側から見たＰＯＳ端末１０１とバックカバー１１１とＰＥＴフィルムシートとメッセージシートとバックパネルとを示す分解斜視図である。図９に示すように、バックカバー１１１を取り外すと、ＰＯＳ端末１０１の内部に収納されたコントローラ２０１の後部が露出する。
【００２８】
図９に示すように、コントローラ２０１の背面には各種のコネクタ２１０が配置されている。したがって、これらのコネクタ２１０には図示しない各種のコネクタが接続され、これらのコネクタ２１０に接続された図示しないコネクタがコントローラ２０１の背面から突出することになる。そこで、本実施の形態では、バックカバー１１１がそのようなコントローラ２０１の背面から突出する図示しないコネクタの配置空間を提供することになる。バックカバー１１１は、ＰＯＳ端末１０１の側面から見た側面形状が円弧状に出っ張って形成されているので、このような円弧状の出っ張り部分が図示しないコネクタの配置空間となる。
【００２９】
ＰＯＳ端末１０１の後部構造は、ＰＯＳ端末１０１の後部にバックカバー１１１が取り付けられ、このバックカバー１１１に二枚のシート１１２ａ，１１２ｂを介してバックパネル１１３が取り付けられて構成されている。二枚のシート１１２ａ，１１２ｂとして、一枚はＰＥＴフィルムシート１１２ａ、もう一枚はメッセージシート１１２ｂが用意されている。
【００３０】
図１０は、バックカバー１１１をその外側から見た斜視図である。バックカバー１１１は、その後部側の背面部１１４が円弧状に形成された樹脂による射出成形品である。背面部１１４は、ＰＯＳ端末１０１の背面の略全幅に渡り、ＰＯＳ端末１０１の側面方向から見た側面形状が円弧状に出っ張って形成された円弧面である。このような背面部１１４は、バックカバー１１１の表面よりもやや奥まった位置に形成されている。こうして形成された背面部１１４の形状によって、バックカバー１１１の表面には段差１１５が形成されている。そして、背面部１１４には、その上部の左右位置及び中央位置の三ヶ所と下部の左右位置の二ヶ所との合計五ヶ所に連結孔１１６が形成され、下部の中央位置の一ヶ所に位置決め孔１１７が形成されている。
【００３１】
図１１は、バックパネル１１３をその内側から見た斜視図である。バックパネル１１３は、バックカバー１１１に形成された背面部１１４の略全幅に渡り、その背面部１１４に沿った円弧状に形成された透光性を有する樹脂部材である。このようなバックパネル１１３には、その上辺の左右位置及び中央位置の三ヶ所と下部の左右位置の二ヶ所との合計五ヶ所に連結爪１１８が形成され、下辺の中央位置の一ヶ所に位置決め突起１１９が形成されている。五個の連結爪１１８は、弾性的に撓むように形成され、弾性力及び復元力を発揮する。これらの連結爪１１８は、バックカバー１１１に形成された連結孔１１６に撓みながら係合し、バックパネル１１３をバックカバー１１１に着脱自在に装着させる。また、こうして連結爪１１８が連結孔１１６に係合してバックパネル１１３がバックカバー１１１に装着された状態では、バックパネル１１３の位置決め突起１１９がバックカバー１１１の位置決め孔１１７に挿入され、バックパネル１１３とバックカバー１１１との連結状態をより確実にする。
【００３２】
このようなバックパネル１１３は、円弧状となった内側に、シートを保持するためのシート保持部１２０を有する。このシート保持部１２０は、上辺の左右位置及び中央位置の三箇所と下辺の左右中央の三箇所との合計六箇所の位置に形成された保持突起１２０ａ〜ｆによって形成されている。これらの保持突起１２０ａ〜ｆは、バックパネル１１３の円弧状となった内周面から所定の距離を隔ててその内周面に対向するように形成されている。そして、上辺の左右位置及び中央位置の三箇所に形成されたシート保持部１２０は、上辺の左右位置及び中央位置の三ヶ所に形成された連結爪１１８と一体的に形成されている。こうして形成されたシート保持部１２０は、バックパネル１１３の円弧内周形状に沿わせて配置した二枚のシート１１２ａ，１１２ｂの上下縁を位置決めすることにより、これらのシート１１２ａ，１１２ｂをその復元力によってバックパネル１１３に密着させて保持する。そこで、バックパネル１１３にシート保持部１２０によって保持された二枚のシート１１２ａ，１１２ｂは、背面部１１４とバックパネル１１３との間にそれぞれ位置付けられる。
【００３３】
図１２は、バックパネル１１３とメッセージシート１１２ｂとＰＥＴフィルムシート１１２ａとをその内側から見た斜視図である。メッセージシート１１２ｂは、その表面側、つまりＰＯＳ端末１０１の裏面側にメッセージ１２１が記録されたシート状物である（図９参照）。メッセージシート１１２ｂは、ある程度の柔軟性を有していればどのような素材によっても形成することができる。例えば、紙やプラスチックフィルム等をメッセージシート１１２ｂとして用いることができる。このようなメッセージシート１１２ｂは、例えばＰＯＳ端末１０１が用いられる店舗側で簡単に用意可能である。ＰＥＴフィルムシート１１２ａは、ＰＥＴフィルムによって形成されたシートである。このＰＥＴフィルムシート１１２ａは、ある程度の復元性を有するため、バックパネル１１３にシート保持部１２０によってメッセージシート１１２ｂと共に保持された場合、その復元力によってメッセージシート１１２ｂをバックパネル１１３の内周面に密着させる。
【００３４】
図１３は、バックカバー１１１をその内側から見た斜視図である。図９に示すように、バックカバー１１１を取り外すと、ＰＯＳ端末１０１の内部に収納されたコントローラ２０１の後部が露出する。このコントローラ２０１の後部には、背面から見て右側に第３の排気用開口部２０２が形成されている。この第３の排気用開口部２０２の奥には、図示しない第３のファンが取り付けられ、コントローラ２０１の前方から後方に向けた空気流を生成する。そして、図９に示すように、ＰＯＳ端末１０１の左側面、背面から見て右側面にはその背面近くに位置させて左通風孔１５１が形成されている。この左通風孔１５１の形成位置は、左側のサイドカバー１５８の後方位置である。このような構造上、コントローラ２０１の第３の排気用開口部２０２から排出された空気流を左通風孔１５１からＰＯＳ端末１０１の外部に排気する必要がある。そこで、バックカバー１１１には、第３の排気用開口部２０２と左通風孔１５１とを連結する排気路１２２が形成され、この排気路１２２を介して第３の排気用開口部２０２から排出された空気流の流れの方向を直角に曲げ、左通風孔１５１からＰＯＳ端末１０１の外部に排気させるような構成が採用されている。この場合、第３のファンに対応して配置されている第３の排気用開口部２０２の配置高さに対して、左通風孔１５１は低い位置に配置されている。そこで、バックカバー１１１に形成された排気路１２２は、第３の排気用開口部２０２に対面する位置から左通風孔１５１に向かうに従い、下方向けて傾斜して形成されている。また、バックカバー１１１は、前述したように、樹脂の射出成形品である。そこで、図１０に示すように、バックカバー１１１の表面側には、排気路１２２を一体成形するための凹部１２３が形成されている。この凹部１２３は、排気路１２２を形成するための金型に設けられた入子の形状が必然的にそのまま現れたものであり、それ自体は特段の機能を果たすものではない。
【００３５】
このような構成において、図１、図２及び図８から明白なように、本実施の形態のＰＯＳ端末１０１は、一体的に構成された一体型の外観態様を有する。このような外観態様は、本体フレーム１５２の上部にキーボードユニット１５４とディスプレイユニット１５５とプリンタユニット１５６とを固定し、本体フレーム１５２の正面と背面と両側面とをそれぞれ複数個の化粧カバー（フロントカバー１５７、左右一対のサイドカバー１５８、バックカバー１１１）で覆うことによって構成される。つまり、キーボードユニット１５４とディスプレイユニット１５５とプリンタユニット１５６とは、それぞれが独自の機能を有しながら、同時に、本体フレーム１５２をカバーリングする機能をも有することになる。
【００３６】
また、ハードウェア構成物２０４を収納したコントロールボックスフレーム２０３を本体フレーム１５２に引き出し自在に収納するという構造上、ハードウェア構成物２０４を収納したコントロールボックスフレーム２０３は汎用的な使い回しが可能である。例えば、ハードウェア構成物２０４を収納したコントロールボックスフレーム２０３を、本体フレーム１５２とは異なるフレーム構造体に収納させれば、全く異なる機種を構築することが可能となる。このような汎用性は、本体フレーム１５２の上部にキーボードユニット１５４とディスプレイユニット１５５とプリンタユニット１５６とを固定するという構造、そして、本体フレーム１５２の正面と背面と両側面とをそれぞれ複数個の化粧カバー（フロントカバー１５７、左右一対のサイドカバー１５８、バックカバー１１１）で覆うという構造によっても高められる。例えば、キーボードユニット１５４とディスプレイユニット１５５とプリンタユニット１５６とのいずれか一つ以上を異なるユニットで置き換えることで、別機種を構成することが可能となる。また、化粧カバーをなすフロントカバー１５７と左右一対のサイドカバー１５８とバックカバー１１１とのいずれか一つ以上を別の化粧カバー、例えば異なるデザインを有する化粧カバーに置き換えれば、全体のデザインを全く異なるものにすることができる。このため、ハードウェア構成物２０４を収納したコントロールボックスフレーム２０３、キーボードユニット１５４、ディスプレイユニット１５５、プリンタユニット１５６を、それぞれ異なる機種間で適宜組み合わせて使用することが容易となる。しかも、各部がユニット化されていることから、その場合の組み立て作業も容易である。したがって、本実施の形態のＰＯＳ端末１０１によれば、一体的に構成された一体型のＰＯＳ端末１０１でありながら、異なる機種間での部品の共通化と組み立て作業の容易化とを高い水準で実現させることができる。
【００３７】
次いで、本実施の形態のＰＯＳ端末１０１は、本体フレーム１５２に第２の段部１５３が設けられ、コントロールボックスフレーム１０７にもその第２の段部１５３に位置付けられる段部１０９が設けられている。このため、本体フレーム１５２の第２の段部１５３をキーボードユニット１５４の設置空間として提供し、キーボード１０２の高さを低くしたいという一体型のＰＯＳ端末１０１に求められる形態上の要求を満足させることができる。
【００３８】
さらに、本実施の形態のＰＯＳ端末１０１によれば、バックカバー１１１とバックパネル１１３との間にシート１１２を位置させることができ、一方のメッセージシート１１２ｂに記載されたメッセージ１２１を顧客に提供することができる。この際、バックカバー１１１及びバックパネル１１３は、顧客に対面するＰＯＳ端末１０１の背面の略全幅に渡り形成されているので、メッセージシート１１２ｂも同様にＰＯＳ端末１０１の背面の略全幅に渡り位置付けることができる。
【００３９】
ここで、メッセージシート１１２ｂは、シート保持部１２０を構成する六つの保持突起１２０ａ〜ｆとバックパネル１１３の内周面との間にＰＥＴフィルムシート１１２ａと共に挟み込むだけで、容易にバックパネル１１３に装着することができる。この際、二枚のシート１１２はバックパネル１１３の円弧形状に沿って湾曲するために復元力が作用し、元の形状に復元しようとする。とりわけ、ＰＥＴフィルムシート１１２ａの復元力が強い。これにより、メッセージシート１１２ｂはＰＥＴフィルムシート１１２ａの復元力によってバックパネル１１３の内周面に押し付けられ、バックパネル１１３の内周面に密着する。これにより、メッセージシート１１２ｂは弛みなく綺麗な状態でバックパネル１１３に装着される。
【００４０】
そして、メッセージシート１１２ｂに記載されるメッセージ１２１は、例えばＰＯＳ端末１０１が設置される店舗等において容易に作成可能である。このため、店側から発信するメッセージ１２１を簡易な手法で顧客に提供することができる。
【００４１】
加えて、コントロールボックスフレーム２０３の左空間２０７には、奥側に位置させて電源ユニット２２２が収納されていることから、熱源となる電源ユニット２２２によって発生した熱を左空間２０７から逃がす必要が生ずる。この排熱を担っているのがコントロールボックスフレーム２０３の左空間２０７における背面壁に配置された図示しない第３のファン及び第３の排気用開口部２０２である。つまり、第３のファンは、コントロールボックスフレーム２０３の左空間２０７において前方から後方への空気流を生成し、第３の排気用開口部２０２からコントローラ２０１の外部に排熱する。この後、コントローラ２０１の外部に排熱された熱を伴う空気流は、バックカバー１１１に形成された排気路１２２によってその進行方向を直角に曲げられ、左側のサイドカバー１５８の後方位置に形成された左通風孔１５１よりＰＯＳ端末１０１の外部に排気される。この際、排気路１２２は第３の排気用開口部２０２に対面する位置から左通風孔１５１に向かうに従い下方向けて傾斜して形成されていることから、高温の排気流はＰＯＳ端末１０１の左側面から下方に向けて排気されることになる。これにより、排気流が顧客の方向に向かってしまうことを回避することができる。しかも、このような排気の流路を採用することで、メッセージシート１１２ｂの幅をＰＯＳ端末１０１の略全幅に渡り確保することができ、顧客に対してより効果的にメッセージ伝達を行なうことができる。
【図面の簡単な説明】
【００４２】
【図１】本発明の実施の一形態として、ＰＯＳ端末をその正面側から示す斜視図である。
【図２】ＰＯＳ端末をその背面側から示す斜視図である。
【図３】ＰＯＳ端末のコントローラ（コントロールボックスフレームにハードウェア構成物が収納されたもの）の斜視図である。
【図４】コントロールボックスフレームの斜視図である。
【図５】本体フレームに対して、ハードウェア構成物を収納するコントロールボックスフレームとキーボードユニットとディスプレイユニットとプリンタユニットと各種カバー（フロントカバー、サイドカバー、バックカバー）とを装着する状態を示す分解斜視図である。
【図６】ディスプレイユニットとプリンタユニットとが装着された本体フレームに対して、キーボードユニットとコントロールボックスフレームとフロントカバーとを装着する状態を示す右側面図である。
【図７】コントロールボックスフレームが装着されてディスプレイユニットとプリンタユニットとバックカバーとが装着された本体フレームに対して、キーボードユニットとフロントカバーとを装着する状態を示す右側面図である。
【図８】全体の右側面図である。
【図９】バックカバーを外した状態の背面側から見たＰＯＳ端末とバックカバーとＰＥＴフィルムシートとメッセージシートとバックパネルとを示す分解斜視図である。
【図１０】バックカバーをその外側から見た斜視図である。
【図１１】バックパネルをその内側から見た斜視図である。
【図１２】バックパネルとメッセージシートとＰＥＴフィルムシートとをその内側から見た斜視図である。
【図１３】バックカバーをその内側から見た斜視図である。
【符号の説明】
【００４３】
１５２：本体フレーム，    １５３：第２の段部，    １５４：キーボードユニット
１５５：ディスプレイユニット，    １５６：プリンタユニット，    １５７、１５８、１１１：化粧カバー（フロントカバー、サイドカバー、バックカバー），    ２０３：コントロールボックスフレーム，    ２０４：ハードウェア構成物，    ２０５：段部
【図１】
2006155515.tif 000003
【図２】
2006155515.tif 000004
【図３】
2006155515.tif 000005
【図４】
2006155515.tif 000006
【図５】
2006155515.tif 000007
【図６】
2006155515.tif 000008
【図７】
2006155515.tif 000009
【図８】
2006155515.tif 000010
【図９】
2006155515.tif 000011
【図１０】
2006155515.tif 000012
【図１１】
2006155515.tif 000013
【図１２】
2006155515.tif 000014
【図１３】
2006155515.tif 000015